(57)【要約】  携帯型端末（１０）は、電力を用いずに表示内容を保持する表示保持性を有する表示部（１０３）と、所定の端末装置（２０）が所定の範囲内に存在するか否かを検知する検知部（１０７）と、前記端末装置（２０）が前記所定の範囲外に存在する場合、前記表示部（１０３）に所定の画像を表示させる表示制御部（１０８）とを有する。
2015146251.tif 000002
【特許請求の範囲】
【請求項１】
表示部と、  所定の端末装置が所定の範囲内に存在するか否かを検知する検知部と、  前記端末装置が前記範囲外に存在する場合、前記表示部に所定の画像を表示させる表示制御部とを備える携帯型端末。
【請求項２】
請求項１に記載の携帯型端末において、  前記表示部に表示させるデータを記憶する記憶部をさらに備え、  前記表示部は、電力を用いずに表示内容を保持する表示保持性を有し、  前記表示制御部は、前記記憶部に記憶されたデータを前記表示部に表示させると、当該表示させたデータを前記記憶部から削除する携帯型端末。
【請求項３】
請求項１または２に記載の携帯型端末において、  前記端末装置と接続可能な通信部をさらに備え、  前記表示制御部は、前記表示部に表示させるデータを、当該表示部が一度に表示する単位毎に前記端末装置から取得して前記表示部に表示させる携帯型端末。
【請求項４】
請求項１ないし３のいずれか１項に記載の携帯型端末において、  前記所定の画像は、前記携帯型端末の所有者の連絡先情報を含む携帯型端末。
【請求項５】
ペアリングされた第１の携帯型端末および第２の携帯型端末を用いた表示システムであって、  前記第２の携帯型端末は、  表示部と、  前記第１の携帯型端末が所定の範囲内に存在するか否かを検知する検知部と、  前記第１の携帯型端末が前記範囲外に存在する場合、前記表示部に所定の画像を表示させる表示制御部とを有する、表示システム。
【請求項６】
請求項５に記載の表示システムにおいて、  前記第１の携帯型端末は、  データを記憶する第１の記憶部と、  前記第１の記憶部に記憶されたデータを、前記第２の携帯型端末の表示部が一度に表示する単位毎に前記第２の携帯型端末に送信するデータ管理部とを有し、  前記第２の携帯型端末は、  前記データを前記第１の携帯型端末から受信する受信部と、  前記第１の携帯型端末から受信した前記データを記憶する第２の記憶部とをさらに有し、  前記表示部は、電力を用いずに表示内容を保持する表示保持性を有し、  前記表示制御部は、前記第１の携帯型端末が前記範囲内に存在する場合、前記表示部に前記第２の記憶部に記憶されたデータを表示させ、前記表示部に前記第２の記憶部に記憶されたデータを表示させると、当該表示させたデータを前記第２の記憶部から削除する表示システム。
【請求項７】
請求項５または６に記載の表示システムにおいて、  前記第１の携帯型端末は、  前記第２の携帯型端末が特定範囲内に存在するか否かを検知する端末検知部をさらに有し、  前記データ管理部は、前記第２の携帯型端末が前記特定範囲外に存在する場合、前記第１の記憶部に記憶されたデータを削除する表示システム。
【請求項８】
請求項７に記載の表示システムにおいて、  前記データ管理部は、前記第２の携帯型端末が前記特定範囲外に存在する場合、所定の外部装置に警告メッセージを送信する表示システム。
【請求項９】
第１の携帯型端末が、表示部を備えた第２の携帯型端末を基準とした所定の範囲内に存在するか否かを検知し、  前記第１の携帯型端末が前記範囲外に存在する場合、前記表示部に所定の画像を表示させる、表示制御方法。
【請求項１０】
コンピュータに、  第１の携帯型端末が、表示部を備えた第２の携帯型端末を基準とした所定の範囲内に存在するか否かを検知する手順と、  前記第１の携帯型端末が前記範囲外に存在する場合、前記表示部に所定の画像を表示させる手順とを実行させるためのプログラムが格納された記録媒体。
【発明の詳細な説明】
【技術分野】
【０００１】  本発明は、携帯型端末、表示システム、表示制御方法、およびプログラムに関する。
【背景技術】
【０００２】  近年、携帯電話、スマートフォン、タブレット型端末などの携帯型端末を紛失した場合に、携帯型端末に格納された情報が流出することを抑制するための様々な方法が提案されている。例えば、特許文献１には、子機との距離が予め定めた値より大きくなった場合、携帯電話機の記憶部に記憶されたデータを消去するデータ管理システムが開示されている。これにより、携帯電話機を紛失したとき、携帯電話機の所有者が紛失に気づいていなくても情報が消去されるため、情報が流出することを抑制することができる。
【先行技術文献】
【特許文献】
【０００３】
【特許文献１】特開２００９−２３９７０４号公報
【発明の概要】
【発明が解決しようとする課題】
【０００４】  しかしながら、特許文献１に記載の方法では、情報の流出を抑制することができない場合があるという問題がある。例えば、携帯型端末の表示部が、表示内容を保持するために電力を必要としない表示保持性を有する表示部である場合など、記憶部に記憶された情報を消去した後であっても、表示内容が保持されることがある。この場合、表示部に情報が表示されたままとなるため、情報の流出を抑制することはできない。【０００５】  本発明の目的は、情報の流出をより確実に抑制することの可能な携帯型端末、表示システム、表示制御方法、およびプログラムを提供することである。
【課題を解決するための手段】
【０００６】  本発明による携帯型端末は、  表示部と、  所定の端末装置が所定の範囲内に存在するか否かを検知する距離検知部と、  前記端末装置が前記範囲外に存在する場合、前記表示部に所定の画像を表示させる表示制御部とを有する。【０００７】  また、本発明による表示システムは、  ペアリングされた第１の携帯型端末および第２の携帯型端末を用いた表示システムであって、  前記第２の携帯型端末は、  表示部と、  前記第１の携帯型端末が所定の範囲内に存在するか否かを検知する検知部と、  前記第１の携帯型端末が前記範囲外に存在する場合、前記表示部に所定の画像を表示させる表示制御部とを有する。【０００８】  また、本発明による表示制御方法は、  第１の携帯型端末が、表示部を備えた第２の携帯型端末を基準とした所定の範囲内に存在するか否かを検知し、  前記第１の携帯型端末が前記範囲外に存在する場合、前記表示部に所定の画像を表示させる。【０００９】  また、本発明による記録媒体は、  コンピュータに、  第１の携帯型端末が、表示部を備えた第２の携帯型端末を基準とした所定の範囲内に存在するか否かを検知する手順と、  前記第１の携帯型端末が前記範囲外に存在する場合、前記表示部に所定の画像を表示させる手順とを実行させるためのプログラムが格納された記録媒体である。
【発明の効果】
【００１０】  本発明によれば、情報の流出をより確実に抑制することが可能である。
【図面の簡単な説明】
【００１１】
【図１】本発明の第１の実施形態にかかる電子ペーパ端末１０の構成を示すブロック図である。
【図２】図１の電子ペーパ端末１０の動作例を説明するためのフローチャートである。
【図３】本発明の第２の実施形態にかかるスマートフォン２０の構成を示すブロック図である。
【図４】同実施形態にかかるデータ管理システム２の動作例を説明するためのシーケンス図である。
【発明を実施するための形態】
【００１２】  以下、本発明の実施形態について添付の図面を参照して説明する。なお、本明細書および図面において、同一の機能を有する構成要素については同じ符号を付することにより重複説明を省略する場合がある。
【００１３】  （第１の実施形態）  図１は、本発明の第１の実施形態に係る電子ペーパ端末１０の構成を示すブロック図である。
【００１４】  本実施形態に係る電子ペーパ端末１０は、表示保持性を有する表示部を有する携帯型端末の一例である。電子ペーパ端末１０は図１に示すように、第１通信部１０１と、第２通信部１０２と、表示部１０３と、操作部１０４と、記憶部１０５と、制御部１０６とを有する。
【００１５】  第１通信部１０１は、第１の通信規格に従った通信インタフェース等を有し、制御部１０６からの指示に従ってスマートフォン２０などの外部装置との間で無線通信する。第１の通信規格は、例えばＮＦＣ（Near Field Communication）や、Bluetooth（登録商標）などの近距離無線通信規格である。
【００１６】  第２通信部１０２は、アンテナや第２の通信規格に従った通信インタフェース等を有し、制御部１０６からの指示に従って外部装置との間で無線通信する。第２通信部１０２は、例えば携帯無線通信網と接続する通信インタフェースを有する。
【００１７】  表示部１０３は、電子ペーパを備え、制御部１０６の指示に従って各種の画像を表示する。表示部１０３は、表示内容を保持するために電力を必要としない表示保持性を有する。
【００１８】  操作部１０４は、タッチパネルや操作ボタンなどを有する。そして、操作部１０４は、ユーザが行う操作を受け付け、受け付けた操作に応じた操作信号を生成して制御部１０６に出力する。
【００１９】  記憶部１０５は、データ格納用の装置であり、例えばフラッシュメモリなどの不揮発性メモリや、ＨＤＤ（Hard Disk Drive）などの磁気記録媒体などを含む。記憶部１０５は、例えば、電子ペーパ端末１０を動作させるためのプログラムや、表示部１０３に表示させるデータを記憶する。
【００２０】  制御部１０６は、マイクロプロセッサなどである。制御部１０６は、記憶部１０５に記憶されたプログラムを読み取って実行することによって、例えば検知部１０７および表示制御部１０８の機能を実現し、電子ペーパ端末１０の動作を制御する。
【００２１】  検知部１０７は、第１通信部１０１を用いて、スマートフォン２０が、電子ペーパ端末１０を基準とした所定の範囲内に存在するか否かを検知する。具体的には、所定の範囲は、第１通信部１０１が通信することのできる範囲であり、検知部１０７は、第１通信部１０１を用いてスマートフォン２０をポーリングして、スマートフォン２０が第１通信部１０１と通信することのできる範囲内に存在するか否かを判断する。検知部１０７は、スマートフォン２０のポーリングに成功した場合、スマートフォン２０が所定の範囲内に存在すると判断する。また、検知部１０７は、スマートフォン２０のポーリングに失敗した場合、スマートフォン２０が所定の範囲外に存在すると判断する。検知部１０７は、スマートフォン２０が所定の範囲外に存在することを検知すると、その旨を表示制御部１０８に通知する。
【００２２】  表示制御部１０８は、表示部１０３を用いて、表示内容を制御する。表示制御部１０８は、検知部１０７から、スマートフォン２０が所定の範囲外に存在する旨を受け付けると、表示部１０３の表示内容を書き換えて所定の画像を表示させる。所定の画像は、例えば、白画像または黒画像や、所定のデスクトップ画像、スリープ状態のときに表示されるスリープ画像などであってよい。或いは、所定の画像は、スマートフォン２０が所定の範囲外に存在する場合に表示される特定の画像であってよい。スマートフォン２０が所定の範囲外に存在する場合、電子ペーパ端末１０またはスマートフォン２０が所有者の手元を離れて紛失した状態と考えられる。このため、特定の画像は、予め所有者により設定された情報、例えば所有者の連絡先の情報を含む画像であってよい。
【００２３】  また表示制御部１０８は、表示部１０３に表示させるデータをスマートフォン２０から取得すると記憶部１０５に記憶する。そして表示制御部１０８は、記憶部１０５に記憶されたデータを表示部１０３に表示させると、表示させたデータを記憶部１０５から削除する。表示部１０３は、表示保持性を有するため、記憶部１０５からデータを削除した後も、表示が書き換えられるまでは表示部１０３の表示内容は保持される。
【００２４】  図２は、図１の電子ペーパ端末１０の動作例を説明するためのフローチャートである。
【００２５】  電子ペーパ端末１０の表示制御部１０８は、データを記憶部１０５に記憶させる。例えば、表示制御部１０８は、第１通信部１０１または第２通信部１０２を介して、外部装置からデータを取得して、取得したデータを記憶部１０５に記憶させることができる（ステップ１００）。
【００２６】  続いて表示制御部１０８は、記憶部１０５に記憶されたデータを表示部１０３に表示させるか否かを判断する。例えば、表示制御部１０８は、操作部１０４が出力する操作信号に応じて、表示部１０３にデータを表示させる操作が行われたか否かを判断し、当該判断結果に基づいて、データを表示部１０３に表示させるか否かを判断する（ステップ１０１）。
【００２７】  データを表示部１０３に表示させる場合、表示制御部１０８は、表示部１０３に表示内容を書き換えさせて、記憶部１０５に記憶されたデータを表示させる（ステップ１０２）。表示部１０３の表示内容が書き換えられると、表示制御部１０８は、表示したデータを記憶部１０５から削除する（ステップ１０３）。
【００２８】  また、検知部１０７は、スマートフォン２０が所定の範囲内に存在するか否かを判断する。具体的には、検知部１０７は、第１通信部１０１を用いて、スマートフォン２０をポーリングして、ポーリングが成功したか否かに基づいて、スマートフォン２０が通信可能な所定の範囲内に存在するか否かを判断する（ステップ１０４）。
【００２９】  スマートフォン２０が所定の範囲外に存在する場合、検知部１０７は、その旨を表示制御部１０８に通知する。そして、表示制御部１０８は、その旨を受け付けると、表示部１０３に所定の画像を表示させる（ステップ１０５）。またスマートフォン２０が所定の範囲内に存在する場合、検知部１０７は、スマートフォン２０が所定の範囲内に存在するか否かの判断を継続する。
【００３０】  以上説明したように、本発明の第１の実施形態によれば、携帯型端末の一例である電子ペーパ端末１０は、表示部１０３と、検知部１０７と、表示制御部１０８とを有する。検知部１０７は、所定の端末装置であるスマートフォン２０が所定の範囲内に存在するか否かを検知する。また、表示制御部１０８は、スマートフォン２０が所定の範囲外に存在する場合、表示部１０３に所定の画像を表示させる。これにより、例えば電子ペーパ端末１０を紛失して、スマートフォン２０との間の距離が所定の閾値以上となった場合、表示内容が書き換えられて所定の画像が表示される。したがって、情報の流出をより確実に抑制することが可能になる。
【００３１】  また、上記実施形態によれば、電子ペーパ端末１０は、表示部１０３に表示させるデータを記憶する記憶部１０５を有し、表示部１０３は、電力を用いずに表示内容を保持する表示保持性を有する。表示制御部１０８は、記憶部１０５に記憶されたデータを表示部１０３に表示させると、当該表示させたデータを記憶部１０５から削除する。これにより、表示部１０３に表示されたデータは、記憶部１０５から削除され、取り出すことができなくなる。表示部１０３が表示保持性を有する場合には、表示部１０３にデータを表示させると、当該データは、表示内容を保持するためには用いられていない状態となる。これにより、電子ペーパ端末１０とスマートフォン２０との間の距離が閾値以上となった場合に記憶部１０５のデータを削除するよりも、記憶部１０５にデータが記憶されている時間が短くなる。それにより、表示保持性を有する表示部を搭載する携帯型端末において、情報の流出をより確実に抑制することが可能になる。
【００３２】  なお、記憶部１０５のデータを削除せずに表示部１０３の画像を消去する場合には、スマートフォン２０が再度所定の範囲内に存在するようになって、電子ペーパ端末１０とスマートフォン２０とが再度ペアリングされた場合、データを再び送受信することなく、すぐに画像を表示することができる。
【００３３】  また、上記実施形態によれば、スマートフォン２０が所定の範囲外に存在する場合に表示される所定の画像は、電子ペーパ端末１０の所有者の連絡先情報を含む。これにより、電子ペーパ端末１０の所有者が電子ペーパ端末１０を紛失した場合、表示部１０３に所有者の連絡先情報が表示される。したがって、紛失した電子ペーパ端末１０が他の人物により拾われた場合、電子ペーパ端末１０を拾った人物が所有者に連絡を取ることができる。それにより、電子ペーパ端末１０を紛失した場合に、所有者の元に電子ペーパ端末１０が返ってくる可能性を高めることが可能になる。
【００３４】  （第２の実施形態）  図３は、本発明の第２の実施形態に係るデータ管理システム２の構成と、スマートフォン２０の詳細な構成を示すブロック図である。
【００３５】  本形態におけるデータ管理システム２は、図２に示すように、電子ペーパ端末１０と、スマートフォン２０と、ＰＣ（Personal Computer）３０とを有する。電子ペーパ端末１０は、図１と同様の構成を有する。以下に、電子ペーパ端末１０の構成について、図１を用いて、第１の実施形態と異なる部分を主に説明する。
【００３６】  電子ペーパ端末１０の表示制御部１０８は、表示部１０３に表示させるデータを、表示部１０３が一度に表示する単位毎にスマートフォン２０から取得する。具体的には、表示制御部１０８は、スマートフォン２０から、資料ファイルのデータを１ページずつ取得して表示部１０３に表示させる。表示制御部１０８は、操作部１０４が出力した操作信号がページ変更操作を示す場合、表示部１０３が表示している資料のうち、当該ページ変更操作に応じたページのデータをスマートフォン２０から取得して表示部１０３の表示内容を書き換える。
【００３７】  図３の説明に戻る。図３に示すスマートフォン２０は、ペアリングされた第１の携帯型端末の一例であり、また、電子ペーパ端末１０は、スマートフォン２０とペアリングされた第２の携帯型端末の一例である。スマートフォン２０は、第１通信部２０１と、第２通信部２０２と、表示部２０３と、操作部２０４と、記憶部２０５と、制御部２０６とを有する。
【００３８】  第１通信部２０１は、第１の通信規格に従った通信インタフェース等を有する。第１通信部２０１は、制御部２０６からの指示に従って、電子ペーパ端末１０等の外部装置との間で無線通信する。
【００３９】  第２通信部２０２は、第２の通信規格に従った通信インタフェース等を有する。第２通信部２０２は、制御部２０６からの指示に従って外部装置との間で無線通信する。第２通信部２０２は、例えば携帯無線通信網と接続する通信インタフェースを有する。
【００４０】  表示部２０３は、制御部２０６の指示に従って各種の画像を表示する。表示部２０３は、例えばＬＣＤ（Liquid Crystal Display）などである。
【００４１】  操作部２０４は、タッチパネルや操作ボタンなどを有する。操作部２０４は、ユーザが行う操作を受け付け、受け付けた操作に応じた操作信号を生成して制御部２０６に出力する。
【００４２】  記憶部２０５は、データ格納用の装置である。記憶部２０５は、例えばフラッシュメモリなどの不揮発性メモリや、ＨＤＤ（Hard Disk Drive）などの磁気記録媒体などを含む。記憶部２０５は、例えば、スマートフォン２０を動作させるためのプログラムや、資料ファイルなどを記憶する。
【００４３】  制御部２０６は、マイクロプロセッサなどである。制御部２０６は、記憶部２０５に記憶されたプログラムを読み取って実行することにより、例えば端末検知部２０７およびデータ管理部２０８などの機能を実現し、スマートフォン２０の動作を制御する。
【００４４】  端末検知部２０７は、第１通信部２０１を用いて、電子ペーパ端末１０が、スマートフォン２０を基準とした特定範囲内に存在するか否かを検知する。具体的には、特定範囲は、第１通信部２０１が通信することのできる範囲である。そして、端末検知部２０７は、第１通信部２０１を用いて電子ペーパ端末１０をポーリングして、電子ペーパ端末１０が特定範囲内に存在するか否かを判断する。端末検知部２０７は、電子ペーパ端末１０のポーリングに成功した場合、電子ペーパ端末１０が特定範囲内に存在すると判断する。また、端末検知部２０７は、ポーリングに失敗した場合、電子ペーパ端末１０が特定範囲外に存在すると判断する。端末検知部２０７は、電子ペーパ端末１０が特定範囲外に存在することを検知すると、その旨をデータ管理部２０８に通知する。
【００４５】  データ管理部２０８は、記憶部２０５に記憶されたデータを管理する。データ管理部２０８は、例えば、第２通信部２０２を用いてＰＣ３０から資料ファイルを取得すると、記憶部２０５に記憶させる。またデータ管理部２０８は、電子ペーパ端末１０に記憶部２０５に記憶された資料を列挙した資料リストを送信する。そしてデータ管理部２０８は、資料リストのうちいずれかの資料が選択されて当該資料のデータが要求されると、要求された資料のデータ形式を変換して、１ページごとにデータを電子ペーパ端末１０に送信する。また、電子ペーパ端末１０からページ変更要求を受信すると、データ管理部２０８は、要求されたページのデータを電子ペーパ端末１０に送信する。
【００４６】  また、データ管理部２０８は、端末検知部２０７から、電子ペーパ端末１０が特定範囲外に存在する旨を受け付けると、記憶部２０５に記憶された資料ファイルのデータを削除する。このときデータ管理部２０８は、記憶部２０５に記憶された資料ファイルの全てを削除してもよいし、一部だけ削除してもよい。関係者以外の者に対して秘密にすべき情報であることを示すタグなどが資料ファイルに付与されている場合、データ管理部２０８は、このタグが付与された情報を選択的に削除することもできる。また、データ管理部２０８は、電子ペーパ端末１０が特定範囲外に存在する旨を受け付けると、警告メッセージをＰＣ３０に送信することもできる。
【００４７】  図４は、データ管理システム２の動作例を説明するためのシーケンス図である。
【００４８】  スマートフォン２０のデータ管理部２０８は、第２通信部２０２を用いて、ＰＣ３０から資料ファイルを取り込み、記憶部２０５に記憶させる（ステップ２００）。そして、データ管理部２０８は、記憶部２０５に記憶された資料ファイルを列挙した資料リストを電子ペーパ端末１０に送信する（ステップ２０１）。
【００４９】  電子ペーパ端末１０の表示制御部１０８は、資料リストを受信すると、受信した資料リストを表示部１０３に表示させる。そして、資料リストに含まれる各資料の選択を受け付ける状態となる（ステップ２０２）。表示制御部１０８は、資料リストからいずれかの資料が選択されたことを示す操作信号を受け付けると、操作信号が示す資料のデータを要求するデータ要求をスマートフォン２０に送信する（ステップ２０３）。
【００５０】  スマートフォン２０のデータ管理部２０８は、電子ペーパ端末１０からデータ要求を受信すると、要求された資料のデータ形式を変換する。具体的には、データ管理部２０８は、資料ファイルに基づいて、ページ毎のデータを生成する（ステップ２０４）。そしてデータ管理部２０８は、資料ファイルの１ページ目のデータを電子ペーパ端末１０に送信する（ステップ２０５）。
【００５１】  電子ペーパ端末１０の表示制御部１０８は、１ページ目のデータを受信すると、受信したデータを記憶部１０５に記憶して、このデータに基づいて表示内容を書き換える（ステップ２０６）。表示内容を書き換えると、表示制御部１０８は、１ページ目のデータを記憶部１０５から削除する（ステップ２０７）。そして、操作部１０４は、ページ変更操作を受け付け、ページ変更操作に応じた操作信号を制御部１０６に出力する（ステップ２０８）。
【００５２】  ページ変更操作に応じた操作信号を受信すると、表示制御部１０８は、ページ変更操作に応じたページのデータを要求するページ変更要求をスマートフォン２０に送信する（ステップ２０９）。
【００５３】  スマートフォン２０のデータ管理部２０８は、ページ変更要求を受信すると、受信したページ変更要求に応じたページのデータを電子ペーパ端末１０に送信する（ステップ２１０）。
【００５４】  電子ペーパ端末１０の表示制御部１０８は、スマートフォン２０からデータを受信すると、受信したデータを記憶部１０５に記憶させ、このデータに基づいて、表示内容を書き換える（ステップ２１１）。そして表示内容を書き換えると、表示制御部１０８は、表示したページのデータを記憶部１０５から削除する（ステップ２１２）。
【００５５】  また検知部１０７は、スマートフォン２０が所定の範囲内に存在するか否かを判断する（ステップ２１３）。スマートフォン２０が所定の範囲外に存在する場合、検知部１０７は、スマートフォン２０が所定の範囲外に存在する旨を表示制御部１０８に通知する。表示制御部１０８は、その旨の通知を受け付けると、表示部１０３に所定の画像を表示させる（ステップ２１４）。スマートフォン２０が所定の範囲内に存在する場合、検知部１０７は、スマートフォン２０が所定の範囲内に存在するか否かの判断を繰り返す。
【００５６】  また、スマートフォン２０の端末検知部２０７は、電子ペーパ端末１０が特定範囲内に存在するか否かを判断する（ステップ２１５）。電子ペーパ端末１０が特定範囲外に存在する場合、端末検知部２０７は、データ管理部２０８に、電子ペーパ端末１０が特定範囲外に存在する旨を通知する。データ管理部２０８は、その旨の通知を受け付けると、資料ファイルを削除する（ステップ２１６）。また、データ管理部２０８は、続いて、ＰＣに警告メッセージを通知する（ステップ２１７）。
【００５７】  以上説明したように、本発明の第２の実施形態によれば、表示システムであるデータ管理システム２は、ペアリングされた第１の携帯型端末であるスマートフォン２０および第２の携帯型端末である電子ペーパ端末１０を用いた表示システムである。電子ペーパ端末１０は、表示部１０３と、検知部１０７と、表示制御部１０８とを有する。検知部１０７は、スマートフォン２０が所定の範囲内に存在するか否かを検知する。表示制御部１０８は、スマートフォン２０が所定の範囲外に存在する場合、表示部１０３に所定の画像を表示させる。これにより、例えば電子ペーパ端末１０を紛失して、スマートフォン２０が所定の範囲外に存在する場合、表示内容が書き換えられて所定の画像が表示される。したがって、情報の流出をより確実に抑制することが可能になる。
【００５８】  また、上記実施形態によれば、スマートフォン２０は、第１の記憶部である記憶部２０５と、データ管理部２０８とを有する。記憶部２０５は、データを記憶し、データ管理部２０８は、記憶部２０５に記憶されたデータを、電子ペーパ端末１０の表示部１０３が一度に表示する単位毎に電子ペーパ端末１０に送信する。また、電子ペーパ端末１０は、受信部である第１通信部１０１と、第２の記憶部である記憶部１０５とをさらに有する。第１通信部１０１は、データをスマートフォン２０から受信する。記憶部１０５は、スマートフォン２０から受信したデータを記憶する。表示部１０３は、電力を用いずに表示内容を保持する表示保持性を有する。表示制御部１０８は、表示部１０３に表示させるデータを、表示部１０３が一度に表示する単位毎にスマートフォン２０から取得して表示部１０３に表示させる。また表示制御部１０８は、記憶部１０５に記憶されたデータを表示部１０３に表示させると、当該表示させたデータを記憶部１０５から削除する。これにより、電子ペーパ端末１０に記憶されるデータは、表示部１０３が一度に表示する単位毎に取得され、表示されるとデータは削除される。したがって、例えば、数ページからなる資料ファイルを電子ペーパ端末１０で表示する場合など、資料ファイルに含まれるデータを複数回に分けて一部分ずつ表示する場合、表示するために用いるデータ以外は電子ペーパ端末１０に記憶されていない状態となる。それにより、情報の流出をより確実に抑制することが可能になる。
【００５９】  また、上記実施形態によれば、スマートフォン２０は、電子ペーパ端末１０が特定範囲内に存在するか否かを検知する端末検知部２０７をさらに有する。そして、データ管理部２０８は、端末検知部２０７が、電子ペーパ端末１０が特定範囲外に存在することを検知した場合、記憶部２０５に記憶されたデータを削除する。これにより、電子ペーパ端末１０がスマートフォン２０を基準とした所定の範囲外に存在する場合、スマートフォン２０に記憶されたデータが削除される。したがって、電子ペーパ端末１０を紛失した場合だけでなく、スマートフォン２０を紛失した場合であっても、情報の流出をより確実に抑制することが可能になる。
【００６０】  また、上記実施形態によれば、スマートフォン２０のデータ管理部２０８は、電子ペーパ端末１０が特定範囲外に存在する場合、所定の外部装置であるＰＣ３０に警告メッセージを送信する。これにより、電子ペーパ端末１０またはスマートフォン２０を紛失した場合に、ＰＣ３０に警告メッセージが表示される。したがって、電子ペーパ端末１０およびスマートフォン２０の所有者が電子ペーパ端末１０またはスマートフォン２０を紛失したことに気付いていなかったとしても、警告メッセージがＰＣ３０に表示される。それにより、情報が流出する可能性をより確実に把握することが可能になる。
【００６１】  以上、実施形態を参照して本願発明を説明したが、本願発明は上記実施形態に限定されるものではない。本願発明の構成や詳細には、本願発明のスコープ内で当業者が理解し得る様々な変更をすることができる。
【００６２】  例えば、上記実施形態では、表示部を搭載する携帯型端末は、表示保持性を有する電子ペーパ端末としたが、本発明はかかる例に限定されない。例えば、携帯型端末は、表示保持性を有さない表示部１０３を搭載する装置であってもよく、電子ペーパ以外の表示保持性を有する表示部１０３を搭載する装置であってもよい。例えば、表示部１０３には、メモリ液晶など、電子ペーパ以外の、電力を用いずに表示内容を保持する技術が用いられてもよい。また、電子ペーパの方式は限定されず、電気泳動方式や、ＭＥＭＳ（Micro Electro Mechanical System）シャッター方式など、表示保持性を有することが可能な方式であればよい。
【００６３】  また、上記第２の実施形態では、電子ペーパ端末１０は、スマートフォン２０に記憶された資料ファイルのリストを取得して表示部１０３に表示することとしたが、本発明はかかる例に限定されない。例えば、スマートフォン２０側で選択した資料ファイルの１ページ目のデータを電子ペーパ端末１０に表示させることとしてもよい。
【００６４】  また、上記第２の実施形態では、電子ペーパ端末１０の検知部１０７は、スマートフォン２０が所定の範囲内に存在するか否かを検知している。また、スマートフォン２０の端末検知部２０７は、電子ペーパ端末１０が特定範囲内に存在するか否かを検知している。ここで所定の範囲と特定範囲とは、同じであってもよいし、検知方法によっては異なる場合もある。
【００６５】  また、図２のフローチャートおよび図４のシーケンス図に示された各ステップは、記載された順序に沿って時系列的に実行されてもよく、また、並列的に実行されてもよい。例えば、図２のステップ１０４およびステップ１０５は、ステップ１０２またはステップ１０３と並列的に実行されてもよい。また図４のステップ２１５〜ステップ２１７は、ステップ２０５が実行された後、ステップ２０６〜ステップ２１４と並列的に実行されてもよい。また時系列的に処理されるステップであっても、場合によっては適宜順序を変更することが可能である。
【００６６】  また、上記実施形態では、電子ペーパ端末１０およびスマートフォン２０の構成と、動作例について主に説明したが、電子ペーパ端末１０およびスマートフォン２０の各機能を実現するためのコンピュータプログラムを作成することが可能である。また、このようなコンピュータプログラムが格納された、コンピュータで読み取り可能な記録媒体も提供することができる。また、コンピュータプログラムは、記録媒体を用いずに、例えばネットワークを介して配信されてもよい。
【００６７】  以上、実施形態を参照して本発明を説明したが、本発明は上記実施形態に限定されるものではない。本発明の構成や詳細には、本発明の範囲内で当業者が理解し得る様々な変更をすることができる。
【００６８】  この出願は、２０１４年３月２７日に出願された日本出願特願２０１４−６５７１９を基礎とする優先権を主張し、その開示の全てをここに取り込む。
【図１】
2015146251.tif 000003
【図２】
2015146251.tif 000004
【図３】
2015146251.tif 000005
【図４】
2015146251.tif 000006
【手続補正書】
【提出日】平成28年9月13日(2016.9.13)
【手続補正１】
【補正対象書類名】特許請求の範囲
【補正対象項目名】全文
【補正方法】変更
【補正の内容】
【特許請求の範囲】
【請求項１】
電力を用いずに表示内容を保持する表示保持性を有する表示部と、
所定の端末装置が所定の範囲内に存在するか否かを検知する検知部と、
前記端末装置が前記範囲外に存在する場合、前記表示部に所定の画像を表示させる表示制御部とを備える携帯型端末。
【請求項２】
請求項１に記載の携帯型端末において、
前記表示部に表示させるデータを記憶する記憶部をさらに備え、
前記表示制御部は、前記記憶部に記憶されたデータを前記表示部に表示させると、当該表示させたデータを前記記憶部から削除する携帯型端末。
【請求項３】
請求項１または２に記載の携帯型端末において、
前記端末装置と接続可能な通信部をさらに備え、
前記表示制御部は、前記表示部に表示させるデータを、当該表示部が一度に表示する単位毎に前記端末装置から取得して前記表示部に表示させる携帯型端末。
【請求項４】
請求項１ないし３のいずれか１項に記載の携帯型端末において、
前記所定の画像は、前記携帯型端末の所有者の連絡先情報を含む携帯型端末。
【請求項５】
ペアリングされた第１の携帯型端末および第２の携帯型端末を用いた表示システムであって、
前記第２の携帯型端末は、
電力を用いずに表示内容を保持する表示保持性を有する表示部と、
前記第１の携帯型端末が所定の範囲内に存在するか否かを検知する検知部と、
前記第１の携帯型端末が前記範囲外に存在する場合、前記表示部に所定の画像を表示させる表示制御部とを有する、表示システム。
【請求項６】
請求項５に記載の表示システムにおいて、
前記第１の携帯型端末は、
データを記憶する第１の記憶部と、
前記第１の記憶部に記憶されたデータを、前記第２の携帯型端末の表示部が一度に表示する単位毎に前記第２の携帯型端末に送信するデータ管理部とを有し、
前記第２の携帯型端末は、
前記データを前記第１の携帯型端末から受信する受信部と、
前記第１の携帯型端末から受信した前記データを記憶する第２の記憶部とをさらに有し、
前記表示制御部は、前記第１の携帯型端末が前記範囲内に存在する場合、前記表示部に前記第２の記憶部に記憶されたデータを表示させ、前記表示部に前記第２の記憶部に記憶されたデータを表示させると、当該表示させたデータを前記第２の記憶部から削除する表示システム。
【請求項７】
請求項５または６に記載の表示システムにおいて、
前記第１の携帯型端末は、
前記第２の携帯型端末が特定範囲内に存在するか否かを検知する端末検知部をさらに有し、
前記データ管理部は、前記第２の携帯型端末が前記特定範囲外に存在する場合、前記第１の記憶部に記憶されたデータを削除する表示システム。
【請求項８】
請求項７に記載の表示システムにおいて、
前記データ管理部は、前記第２の携帯型端末が前記特定範囲外に存在する場合、所定の外部装置に警告メッセージを送信する表示システム。
【請求項９】
第１の携帯型端末が、電力を用いずに表示内容を保持する表示保持性を有する表示部を備えた第２の携帯型端末を基準とした所定の範囲内に存在するか否かを検知し、
前記第１の携帯型端末が前記範囲外に存在する場合、前記表示部に所定の画像を表示させる、表示制御方法。
【請求項１０】
コンピュータに、
第１の携帯型端末が、電力を用いずに表示内容を保持する表示保持性を有する表示部を備えた第２の携帯型端末を基準とした所定の範囲内に存在するか否かを検知する手順と、
前記第１の携帯型端末が前記範囲外に存在する場合、前記表示部に所定の画像を表示させる手順とを実行させるためのプログラム。
【国際調査報告】
2015146251.tif 000007
2015146251.tif 000008
2015146251.tif 000009
2015146251.tif 000010